(57)【要約】  連動制御の設定内容を容易に確認することができる空気調和システムの管理装置を得る。  連動設定情報４００に基づき、設備機器の連動動作を模擬した模擬動作情報を生成するシミュレーション装置１２０と、表示装置１４０に配置図５００を表示させると共に、配置図５００内の設備機器の表示に対応して、模擬動作情報を表示させる表示制御装置１１１とを備える。
2011099075.tif 000002
【特許請求の範囲】
【請求項１】
少なくとも空調機を含む複数の設備機器の動作を制御する、空気調和システムの管理装置であって、
前記設備機器を連動して制御するための情報である１または複数の連動設定情報、および空調対象空間における前記設備機器の配置位置を示す配置図の情報が記憶される記憶装置と、
前記連動設定情報に基づき、前記設備機器の連動動作を模擬した模擬動作情報を生成するシミュレーション装置と、
表示装置と、
前記表示装置に前記配置図を表示させると共に、前記配置図内の設備機器の表示に対応して、前記模擬動作情報を表示させる表示制御装置と
を備えたことを特徴とする空気調和システムの管理装置。
【請求項２】
前記連動設定情報は、
連動制御を実施させるための条件である連動条件の情報と、
前記連動条件を設定する前記設備機器である連動元機器の情報と、
連動制御の対象となる前記設備機器である連動先機器の情報と、
前記連動元機器が前記連動条件を満たしたとき、前記連動先機器を動作させるための連動動作の情報とを有し、
前記表示制御装置は、
前記配置図内の設備機器の表示に対応して、前記連動条件、前記連動元機器、前記連動先機器、および前記連動動作のうち少なくとも一つを表示させる
ことを特徴とする請求項１記載の空気調和システムの管理装置。
【請求項３】
前記シミュレーション装置は、
前記複数の連動設定情報のうち、任意の連動設定情報に基づき前記模擬動作情報を生成し、
生成した前記模擬動作情報に基づく前記設備機器の動作状態と、他の前記連動設定情報とに基づき、前記設備機器の連動動作を模擬した模擬動作情報を生成し、
前記表示制御装置は、
前記配置図内の設備機器の表示に対応して、前記模擬動作情報をそれぞれ表示させる
ことを特徴とする請求項１または２記載の空気調和システムの管理装置。
【請求項４】
前記シミュレーション装置は、
前記複数の連動設定情報のうち、任意の連動設定情報に基づき前記設備機器の連動動作を模擬し、
模擬した後の前記設備機器の動作状態において、他の連動設定情報の前記連動条件を満たす場合、当該連動設定情報に基づく前記設備機器の連動動作の模擬を繰り返す
ことを特徴とする請求項２または３記載の空気調和システムの管理装置。
【請求項５】
前記設備機器の動作を模擬させる操作を入力する入力装置を備え、
前記シミュレーション装置は、
前記入力装置から入力された前記操作に基づき、前記設備機器の動作を模擬し、
模擬した前記設備機器の動作状態と、前記連動設定情報とに基づき、前記設備機器の連動動作を模擬した模擬動作情報を生成し、
前記表示制御装置は、
前記配置図内の設備機器の表示に対応して、前記模擬動作情報を表示する
ことを特徴とする請求項１〜４の何れかに記載の空気調和システムの管理装置。
【請求項６】
前記入力装置は、
前記設備機器の動作を模擬させる操作と、当該操作を模擬させる経過時間の情報とを入力し、
前記シミュレーション装置は、
前記入力装置から入力された前記操作および前記経過時間の情報に基づき、前記設備機器の動作を前記経過時間に応じて模擬し、
模擬した前記設備機器の動作状態が変化する度に、当該設備機器の動作状態と、前記連動設定情報とに基づき、前記設備機器の連動動作を模擬した模擬動作情報を生成し、
前記表示制御装置は、
前記配置図内の設備機器の表示に対応して、前記模擬動作情報をそれぞれ表示する
ことを特徴とする請求項５記載の空気調和システムの管理装置。
【請求項７】
前記表示制御装置は、
前記複数の設備機器のうち、任意の設備機器が、前記連動元機器および前記連動先機器の少なくとも一方であるとき、当該設備機器が連動制御に関係する旨の情報および当該連動設定情報を、前記表示装置に表示させる
ことを特徴とする請求項２〜６の何れかに記載の空気調和システムの管理装置。
【請求項８】
前記シミュレーション装置は、
前記複数の連動設定情報のうち、任意の連動設定情報に基づき前記設備機器の連動動作を模擬し、
模擬した後の前記設備機器の動作状態において、他の連動設定情報の前記連動条件を満たす場合、当該連動設定情報に基づく前記設備機器の連動動作の模擬を、繰り返し、
前記表示制御装置は、
連動動作の模擬が実施された前記連動設定情報が重複するとき、誤設定である旨の表示を、前記表示装置に表示させる
ことを特徴とする請求項２〜７の何れかに記載の空気調和システムの管理装置。
【請求項９】
前記シミュレーション装置は、
前記複数の連動設定情報のうち、任意の連動設定情報に基づき前記設備機器の連動動作を模擬し、
模擬した後の前記設備機器の動作状態において、他の連動設定情報の前記連動条件を満たす場合、当該連動設定情報に基づく前記設備機器の連動動作の模擬を、繰り返し、
前記表示制御装置は、
前記連動動作の時間が、所定の時間を超える場合、または、前記連動動作の繰り返し回数が、所定の回数を超える場合、誤設定である旨の表示を、前記表示装置に表示させる
ことを特徴とする請求項２〜８の何れかに記載の空気調和システムの管理装置。
【請求項１０】
前記表示制御装置は、
前記複数の連動設定情報のうち、前記連動元機器、前記連動先機器、前記連動条件、および前記連動動作のカテゴリが一致する連動設定情報が複数ある場合、誤設定である旨の表示を、前記表示装置に表示させる
ことを特徴とする請求項２〜９の何れかに記載の空気調和システムの管理装置。
【請求項１１】
前記表示制御装置は、
前記設備機器の模擬動作の内容に応じて、前記配置図内の設備機器の表示を変化させる
ことを特徴とする請求項１〜１０の何れかに記載の空気調和システムの管理装置。
【請求項１２】
前記表示制御装置は、
前記配置図内の設備機器のうち、連動動作が模擬された設備機器間を線または矢印で連結して表示させる
ことを特徴とする請求項１〜１１の何れかに記載の空気調和システムの管理装置。
【請求項１３】
前記連動設定情報は、
前記連動条件を満たした後、前記連動動作を実施するまでの遅延時間の情報を有し、
前記シミュレーション装置は、
前記遅延時間のタイムスケールを変化させて前記模擬動作情報を生成し、
前記表示制御装置は、
前記模擬動作情報に基づく前記設備機器の模擬動作の内容に応じて、前記配置図内の設備機器の表示を変化させる
ことを特徴とする請求項１〜１２の何れかに記載の空気調和システムの管理装置。
【請求項１４】
前記表示制御装置は、
前記配置図内の設備機器のうち、前記連動元機器と前記連動先機器とを線または矢印で連結して表示させ、前記遅延時間に応じて線または矢印の表示を変化させる
ことを特徴とする請求項１３記載の空気調和システムの管理装置。
【請求項１５】
前記表示制御装置は、
所定の定型文の情報に、前記連動設定情報を合成し、前記表示装置に表示させる
ことを特徴とする請求項１〜１４の何れかに記載の空気調和システムの管理装置。
【発明の詳細な説明】
【技術分野】
【０００１】
本発明は、少なくとも空調機を含む複数の設備機器の動作を制御する、空気調和システムの管理装置に関する。
【背景技術】
【０００２】
従来の技術においては、予め設定された連動設定の情報に基づいて、ある機器の動作に連動して他の機器の動作を制御する連動制御を行うものがある。例えば、空気調和システムにおいて「…連動制御情報のデータを設定する処理を行う連動制御情報設定手段と、該連動制御情報設定手段が処理した連動制御情報のデータを記憶する記憶手段と、送信される信号に基づいて前記記憶手段に記憶された１または複数の前記連動制御情報のデータから、前記条件および前記有効期間を満たすデータを判断し、満たすものと判断した前記条件および前記有効期間に係る前記操作対象の機器に、前記操作内容に基づく前記操作指令を送信する連動制御実施判断手段とを備える」ものが提案されている（例えば、特許文献１参照）。【０００３】
また、空調機の動作をシミュレーションするものとして、例えば「前記データ記憶手段（６０）に格納されている制御条件データ（６１）の中から前記設定入力条件に対応する対応制御条件データ（５Ｄ）を選択して、前記空調機の動作手順が反映されたシミュレーションプログラム（４０）を前記設定入力条件と前記対応制御条件データ（５Ｄ）とに基づいて実行し、得られた実行結果を前記表示データとして前記表示手段（７０）に出力させる制御手段（３０）と、を備えた空調機シミュレーター（１００）。」が提案されている（例えば、特許文献２参照）。
【先行技術文献】
【特許文献】
【０００４】
【特許文献１】特開２００８−２４９２３３号公報（請求項１）
【特許文献２】特開２００６−２４２４２９号公報（請求項１）
【発明の概要】
【発明が解決しようとする課題】
【０００５】
上記特許文献１の技術では、設定された連動設定の内容によって、所望の連動制御が行われるかを確認する場合、設備機器を実際に動作させて目視によって確認する必要がある。このため、連動制御の設定内容を容易に確認することができない、という問題点があった。
特に、連動制御の対象となる機器が複数である場合や、連動設定が複数組み合わされている場合などは、多数の条件で連動制御の確認を行う必要があり、条件に見合うように設備機器を動作させるのは容易ではない。【０００６】
一方、連動設定の内容を表示するなどして確認することが考えられるが、情報の単なる表示では、所望の連動制御となっているか否かを確認するのは容易ではない、という問題点があった。
例えば連動する設備機器の場所を間違えている場合に、単なる情報の羅列からこれを見い出すのは容易でない。【０００７】
また、上記特許文献２の技術では、空調機の動作をシミュレーションすることはできるが、他の設備機器との関係での連動制御をシミュレーションすることができない、という問題点があった。【０００８】
また、従来の技術では、例えば連動設定の内容に矛盾が生じる場合や、連動により無限に連動制御を繰り返すなどの誤設定がある場合であっても、これを検出することができない、という問題点があった。【０００９】
本発明は、上記のような課題を解決するためになされたもので、連動制御の設定内容を容易に確認することができる空気調和システムの管理装置を得ることを目的とする。
また、設備機器を実際に動作させることなく、連動設定情報に基づく連動動作をシミュレーションすることができる空気調和システムの管理装置を得ることを目的とする。
また、連動設定の内容の誤設定を検出することができる空気調和システムの管理装置を得ることを目的とする。
【課題を解決するための手段】
【００１０】
本発明に係る空気調和システムの管理装置は、
少なくとも空調機を含む複数の設備機器の動作を制御する、空気調和システムの管理装置であって、
前記設備機器を連動して制御するための情報である１または複数の連動設定情報、および空調対象空間における前記設備機器の配置位置を示す配置図の情報が記憶される記憶装置と、
前記連動設定情報に基づき、前記設備機器の連動動作を模擬した模擬動作情報を生成するシミュレーション装置と、
表示装置と、
前記表示装置に前記配置図を表示させると共に、前記配置図内の設備機器の表示に対応して、前記模擬動作情報を表示させる表示制御装置と
を備えたものである。
【発明の効果】
【００１１】
本発明は、連動設定情報に基づき、設備機器の連動動作を模擬した模擬動作情報を生成し、配置図内の設備機器の表示に対応して、模擬動作情報を表示させる。このため、連動制御の設定内容を容易に確認することができる。
【図面の簡単な説明】
【００１２】
【図１】実施の形態１に係る空気調和システムの構成を示す図である。
【図２】実施の形態１に係る管理装置１００の構成を示す図である。
【図３】実施の形態１に係る連動設定情報のデータ構成を示す図である。
【図４】実施の形態１に係る配置図の構成を示す図である。
【図５】実施の形態１に係る初期表示動作を示すフローチャートである。
【図６】実施の形態１に係る初期表示画面を示す図である。
【図７】実施の形態１に係る連動シミュレーションの動作を示すフローチャートである。
【図８】実施の形態１に係る連動シミュレーションでの表示内容を示す図である。
【図９】実施の形態１に係る連動シミュレーションでの表示内容を示す図である。
【図１０】実施の形態１に係る連動シミュレーションの表示結果画面を示す図である。
【図１１】実施の形態２に係る連動シミュレーションの動作を示すフローチャートである。
【図１２】実施の形態２に係る連動シミュレーションでの表示内容を示す図である。
【図１３】実施の形態３に係る連動シミュレーションの動作を示すフローチャートである。
【図１４】実施の形態３に係る連動シミュレーションでの表示内容を示す図である。
【図１５】実施の形態４に係る連動確認の動作を示すフローチャートである。
【図１６】実施の形態４に係る連動確認での表示内容を示す図である。
【図１７】実施の形態５に係る誤設定推測動作の概要を示すフローチャートである。
【図１８】実施の形態５に係る無限ループ判定動作を示すフローチャートである。
【図１９】実施の形態５に係る操作が一貫しない連動判定動作を示すフローチャートである。
【図２０】操作が一貫しない連動動作を説明する図である。
【発明を実施するための形態】
【００１３】
実施の形態１．
図１は実施の形態１に係る空気調和システムの構成を示す図である。
図１において、空気調和システムは、管理装置１００、空調機コントローラ２００、
汎用コントローラ３００、空調機１０、照明機器２０、カードキー３０、および換気設備４０を備えている。
【００１４】
なお、「管理装置１００」は、本発明における「空気調和システムの管理装置」に相当する。
また、「空調機１０」、「照明機器２０」、「カードキー３０」、「換気設備４０」は、本発明における「設備機器」に相当する。
なお、以下の説明において、「空調機１０」、「照明機器２０」、「カードキー３０」、「換気設備４０」を区別しないときは、単に「設備機器」ともいう。
【００１５】
なお、本発明における「設備機器」としては、これに限るものではなく、任意の機器を任意の台数だけ用いることが可能である。
【００１６】
管理装置１００は、空調機コントローラ２００を介して、１または複数の空調機１０と通信線を介して接続される。
空調機コントローラ２００は、管理装置１００からの制御信号、または空調機１０のリモコン等からの制御信号に基づき、各空調機１０の動作を制御する。
空調機１０は、配置された空調対象空間を空調する。
【００１７】
管理装置１００は、汎用コントローラ３００を介して、照明機器２０、カードキー３０、および換気設備４０と通信線を介して接続される。
汎用コントローラ３００は、管理装置１００からの制御信号、または各設備機器からの動作信号等に基づき、各設備機器の動作を制御する。
【００１８】
このような構成により、管理装置１００は、各設備機器を統括制御する。
また、管理装置１００は、後述する連動設定情報に基づき、各設備機器の連動動作を行うものである。
【００１９】
さらに、本実施の形態における管理装置１００は、各設備機器を実際に動作させることなく、連動設定情報に基づく連動動作をシミュレーションし、その結果を表示することが可能である。
次に、このような動作を行う管理装置１００の構成を説明する。
【００２０】
図２は実施の形態１に係る管理装置１００の構成を示す図である。
図２に示すように、管理装置１００は、制御装置１１０、表示制御装置１１１、シミュレーション装置１２０、入力装置１３０、表示装置１４０、記憶装置１５０、および通信装置１６０を備えている。
【００２１】
制御装置１１０は、通信装置１６０が受信した各設備機器からの動作信号等と、連動設定情報等とに基づいて、各設備機器を制御する。
【００２２】
表示制御装置１１１は、例えば制御装置１１０内に設けられる。
表示制御装置１１１は、表示装置１４０に配置図を表示させると共に、配置図内の設備機器の表示に対応して、模擬動作情報を表示させる。詳細は後述する。
【００２３】
シミュレーション装置１２０は、後述する連動設定情報に基づき、設備機器の連動動作を模擬した模擬動作情報を生成する。
【００２４】
入力装置１３０は、各設備機器に対する操作を、使用者が入力するためのインターフェースである。また、入力装置１３０は、連動制御の模擬を実施する際、各設備機器の動作を模擬させる操作や、当該操作を模擬させる経過時間の情報を入力するためのインターフェースである。
【００２５】
表示装置１４０は、表示制御装置１１１からの指示により、配置図や、各種メニュー画面、操作入力画面などを表示する。
【００２６】
記憶装置１５０は、設備機器を連動して制御するための情報である１または複数の連動設定情報４００、および空調対象空間における設備機器の配置位置を示す配置図５００の情報が記憶される。詳細は後述する。
【００２７】
なお、制御装置１１０、表示制御装置１１１、シミュレーション装置１２０は、これらの機能を実現する回路デバイスなどのハードウェアで実現することもできるし、マイコンやＣＰＵなどの演算装置上で実行されるソフトウェアとして実現することもできる。
入力装置１３０は、タッチパネル、キーボードやマウスなどにより構成することができる。
表示装置１４０は、ＬＣＤ（Ｌｉｑｕｉｄ  Ｃｒｙｓｔａｌ  Ｄｉｓｐｌａｙ）等の任意の装置により構成することができる。
記憶装置１５０は、ＨＤＤ（Ｈａｒｄ  Ｄｉｓｋ  Ｄｒｉｖｅ）やフラッシュメモリ等の任意の記憶媒体により構成することができる。
通信装置１６０は、ＬＡＮインターフェースなどの任意のネットワークインターフェースにより構成することができる。
【００２８】
以上、本実施の形態における管理装置１００の構成について説明した。
次に、記憶装置１５０に記憶される、連動設定情報４００および配置図５００について説明する。
【００２９】
［連動設定情報］
図３は実施の形態１に係る連動設定情報のデータ構成を示す図である。
図３に示すように、連動設定情報４００は、少なくとも、連動元機器、連動条件、連動先機器、および連動動作を有している。
なお、これに加え、図３に示すように、連動設定情報を識別する連動番号、ディレイタイムを設けても良い。
また、連動番号毎に、連動制御の内容を示す連動名称の情報を設けるようにしても良い。
【００３０】
連動元機器は、連動条件を設定する設備機器を識別する情報である。
連動条件は、連動制御を実施させるための条件の情報である。
連動先機器は、連動制御の対象となる設備機器を識別する情報である。
連動動作は、連動元機器が連動条件を満たしたとき、連動先機器を動作させるための動作を特定する情報である。
ディレイタイムは、連動条件を満たした後、連動動作を実施するまでの時間を設定する情報である。
【００３１】
図３の例を用いて、具体的に説明する。
本設定例では、大きく分けて４種類設定されている。
連動番号１および２は、空調対象空間としてのビル全体の空調を、管理用のカードキーで制御する。
連動番号３〜６は、空調対象空間としての２Ｆ会議室を、快適な環境にしつつ、省エネも実現する制御をする。
連動番号７および８は、設備機器に異常が発生したときに、関係する設備機器を停止させる制御をする。
連動番号９および１０は、入室にカードキー３０が必要な図庫に設けられた設備機器を制御する。
【００３２】
（連動番号１）
図３に示すように、連動番号１の設定の内容は次のようになる。
連動元機器の情報は、１Ｆのビル管理用カードキーを識別する情報である「アドレス１−１  １Ｆカードキー」である。
連動条件の情報は、カードキーを抜いた状態を示す「ＯＦＦ」である。
連動先機器の情報は、全ての空調機を指定する「グループ（全グループ）」である。
連動動作の情報は、運転動作の停止とリモコンからの操作を全て禁止にする動作を指定する「停止、（ＯＮ／ＯＦＦ）禁止、（運転モード禁止）、（温度設定）禁止」である。
このような設定では、１Ｆのビル管理用カードキーを、抜いたときに、すべての空調機を停止させ、リモコンを操作禁止にする。
以下、同様に、図３に示す設定による連動動作の内容を説明する。
【００３３】
（連動番号２）
この設定は、１Ｆのビル管理用カードキーを挿入したときに、すべての空調機の手元リモコンを操作可能にする。
【００３４】
（連動番号３）
この設定は、２Ｆ会議室Ａ、会議室Ｂ、会議室Ｃのすべての照明が消灯したときに、空調機の運転状態をドライにする。
【００３５】
（連動番号４）
この設定は、２Ｆ会議室Ａ、会議室Ｂ、会議室Ｃのいずれかの照明が点灯したときに、空調機の運転状態を冷房にする。
【００３６】
（連動番号５）
この設定は、２Ｆ会議室Ａ、会議室Ｂ、会議室Ｃのいずれかの空調が冷房になってから３０秒後に、会議室の換気装置を運転にする。
なお、連動番号４の実施により、連動番号５の連動条件が満たされて、連動番号４の動作に連続して実施される場合がある。
以下、このように、他の連動制御の結果により、連動条件を満たし連動制御を開始する動作を「連鎖」という。連動制御が連鎖する場合の動作は後述する。
連動番号４と連鎖する場合、２Ｆ会議室Ａ、会議室Ｂ、会議室Ｃのいずれかの照明が点灯したときに、空調機の運転状態が冷房になり、その３０秒後、換気装置を運転にする。
【００３７】
（連動番号６）
この設定は、２Ｆ会議室Ａ、会議室Ｂ、会議室Ｃのいずれかの空調が冷房以外になってから５分後に、会議室の換気装置を停止にする。
連動番号３と連鎖する場合、２Ｆ会議室Ａ、会議室Ｂ、会議室Ｃのすべての照明が消灯したときに、空調機の運転状態がドライになり、その５分後、換気装置を停止にする。
【００３８】
（連動番号７）
この設定は、１Ｆロビーのいずれかの空調機が異常状態になったときに、１Ｆロビーのすべての空調機を停止させ、手元リモコンを操作禁止にする。
【００３９】
（連動番号８）
この設定は、１Ｆロビーのすべての空調機が異常から復旧してから１分後に、１Ｆロビーの空調機すべての手元リモコンを操作可能にする。
【００４０】
（連動番号９）
この設定は、図庫入り口のカードキーが挿入されたときに、図庫の照明を点灯する。
【００４１】
（連動番号１０）
この設定は、図庫入り口のカードキーが挿入されたときに、図庫の空調を冷房にする。
つまり、連動番号９と１０は、同時に実行される。
【００４２】
［配置図５００］
図４は実施の形態１に係る配置図の構成を示す図である。
図４（ａ）に示すように、記憶装置１５０には、予め、空調機表示５１０、照明機器表示５２０、カードキー表示５３０、換気設備表示５４０、および、フロア情報５５０の各情報が記憶されている。
空調機表示５１０は、空調機１０を示す図である。照明機器表示５２０は、照明機器２０を示す図である。カードキー表示５３０は、カードキー３０を示す図である。換気設備表示５４０は、換気設備４０を示す図である。
また、フロア情報５５０は、設備機器が設置される空調対象空間のレイアウト図（平面図）である。なお、フロア情報５５０は、空調対象空間の広さや階数などに応じて、複数設けるようにしても良い。
なお、フロア情報５５０は、平面図に限らず、俯瞰図など任意の図を用いても良い。
【００４３】
図４（ｂ）に示すように、配置図５００は、フロア情報５５０と、各設備機器を示す図（５１０〜５４０）とを合成して、空調対象空間における設備機器の配置位置を示すものである。
例えば、フロア情報５５０が示す空調対象空間の座標情報と、設備機器の種類および設置された位置の座標情報との対応関係の情報を、予め記憶しておき、この情報に基づいて、配置図５００を生成する。
このように配置図５００を生成することで、例えば改修工事などにより設備機器の増減、位置の変更があった場合でも、容易に配置図５００を修正することができる。
なお、ここでは、フロア情報５５０と、各設備機器を示す図とを合成する場合を説明するが、本発明はこれに限らず、予め、空調対象空間を示すレイアウトに、設備機器を表示した図を用いても良い。
【００４４】
次に、連動設定情報４００に基づく連動制御の模擬動作（以下「連動シミュレーション」ともいう）について説明する。
【００４５】
［初期表示］
図５は実施の形態１に係る初期表示動作を示すフローチャートである。
図６は実施の形態１に係る初期表示画面を示す図である。
以下、図５の各ステップに基づき、図６を参照しつつ説明する。
【００４６】
（Ｓ１０１）
表示制御装置１１１は、記憶装置１５０に記憶された、各設備機器を示す図（５１０〜５４０）を読み込む。
（Ｓ１０２）
表示制御装置１１１は、記憶装置１５０に記憶された、フロア情報５５０を読み込む。
（Ｓ１０３）
表示制御装置１１１は、記憶装置１５０に記憶された、連動設定情報４００を読み込む。
（Ｓ１０４）
次に、使用者は、表示させるフロアを選択する操作を入力する。なお、本ステップを省き、所定のフロアを予め選択する用にしても良い。
（Ｓ１０５）
表示制御装置１１１は、読み込んだ情報に基づいて、選択されたフロアでの設備機器の配置位置を示す配置図５００を生成し、配置図５００と、連動設定情報４００のリスト情報（連動リスト６１０）を、表示装置１４０に表示させる（図６）。
また、これに加え、連動シミュレーション動作の経過時間を表示する経過時間表示６２０、連動シミュレーション動作の開始ボタン６３０を表示させる（図６）。
【００４７】
なお、この初期表示は、例えば管理装置１００を起動した際や使用者からの操作によって実行する。
なお、ステップＳ１０４で説明したフロア選択は、任意のタイミングで実行可能である。表示フロアの切り替えを行う際は、選択されたフロアに応じて上記ステップＳ１０５を再実行する。
【００４８】
［連動表示］
図７は実施の形態１に係る連動シミュレーションの動作を示すフローチャートである。
図８および図９は実施の形態１に係る連動シミュレーションでの表示内容を示す図である。
図１０は実施の形態１に係る連動シミュレーションの表示結果画面を示す図である。
以下、図７の各ステップに基づき、図８〜図１０を参照しつつ説明する。
【００４９】
（Ｓ２０１）
まず、使用者は、初期表示画面に表示された連動リスト６１０から、連動シミュレーションを実行させる連動番号を、１または複数個選択する。
【００５０】
（Ｓ２０２）
表示制御装置１１１は、現在表示中の配置図５００に表示された設備機器の中から、選択された連動番号の連動元機器および連動先機器を検索する。
【００５１】
（Ｓ２０３）
表示制御装置１１１は、検索した連動元機器および連動先機器の表示と、それ以外の設備機器の表示とを区別するように、配置図５００の情報を更新する。表示装置１４０は、画面を更新表示する（Ｓ２１２）。
例えば、図８（ａ）に示すように、連動元機器および連動先機器以外の設備機器の表示を点線で表示する。なお、これに限らず、例えば色を薄くする、表示を削除するなどを行うようにしても良い。
このような表示をすることで、連動制御に関係する設備機器とその場所を視覚的に把握することができる。
【００５２】
（Ｓ２０４）
次に、表示制御装置１１１は、例えば、連動番号の選択が終了したか否かを使用者に確認するメッセージを表示させる。
使用者から、選択が完了していない旨の操作がされた場合、上記ステップＳ２０１に戻る。
一方、使用者から、選択が完了した旨の操作がされた場合、ステップＳ２０５に進む。
なお、本ステップＳ２０４は、省略しても良い。
【００５３】
（Ｓ２０５）
使用者は、開始ボタン６３０等の操作により、連動シミュレーションを実行させる操作を行う。
【００５４】
（Ｓ２０６）
シミュレーション装置１２０は、上記ステップＳ２０１で選択された連動番号の連動設定情報４００に基づき、連動シミュレーションを開始する。
まず、シミュレーション装置１２０は、連動設定情報４００の連動元機器の情報と、連動条件の情報とから、連動元機器が連動条件を満たす動作状態を模擬した情報を模擬動作情報として生成する。
例えば図３の連動番号３の場合、２Ｆ会議室Ａ〜Ｃの照明機器の動作状態が全てＯＦＦの状態を、模擬動作情報として生成する。
【００５５】
なお、連動条件が、複数の動作状態の論理和である場合には、任意の１つの動作状態が連動条件を満たすように模擬し、他の機器については、後述する論理和である旨の表示のみをするようにしても良い。
例えば、図３の連動番号４の場合、２Ｆ会議室Ａの照明機器の動作状態がＯＦＦの状態を模擬動作情報として生成し、２Ｆ会議室ＢおよびＣについては、論理和の条件である表示をするようにしても良い。
【００５６】
表示制御装置１１１は、配置図５００の連動元機器の表示に対応して、生成された模擬動作情報を表示させる。表示装置１４０は、画面を更新表示する（Ｓ２１２）。
例えば図８（ｂ）に示すように、連動元機器５００１の近傍に、シミュレーション装置が模擬した動作状態である連動条件５００２を表示する。
なお、模擬動作情報の表示は、文字情報に限るものではなく、動作状態を識別できるものであれば良い。
例えば、表示制御装置１１１は、連動元機器の模擬動作の内容に応じて、配置図５００内の当該設備機器の表示を変化させるようにしても良い。
例えば、図８（ｃ）に示すように、ＯＮ状態、ＯＦＦ状態、異常状態に応じて表示を変化させる。
【００５７】
（Ｓ２０７）
次に、シミュレーション装置１２０は、連動設定情報４００のディレイタイムが経過するまで、待機状態となる。なお、ディレイタイムが設定されていない場合、本ステップは省略される。
【００５８】
ステップＳ２０７において、シミュレーション装置１２０は、ディレイタイムのタイムスケールを変化させても良い。例えば、ディレイタイムの１秒を、シミュレーション動作の１分に変換するなど、タイムスケールを長くしても良い。また、ディレイタイムの１分を、シミュレーション動作の１秒に変換するなど、タイムスケールを短くしても良い。
このように、ディレイタイムのタイムスケールを変化させることで、ディレイタイムが短い場合にはタイムスケールを長くすることで、各機器の連動動作の確認を容易に行うことが可能となる。また、ディレイタイムが長い場合にはタイムスケールを短くすることで、シミュレーション動作を短時間で行うことが可能となる。
【００５９】
（Ｓ２０８）
表示制御装置１１１は、配置図５００内の連動元機器と連動先機器との間を、線または矢印で連結する表示させる。
このとき、ディレイタイムが設定されている場合には、時間経過に応じて、線または矢印の長さを変化させる。
例えば、図８（ｄ）に示すように、連動元機器５００１から連動先機器５００３に対する連結線５００５の長さを、時間経過と共に伸ばすようにする。
例えば、線の長さ＝（連動元機器と連動先機器との間の表示上の距離）×（時間経過／ディレイタイム）により求まる長さに変化させる。
また、図８（ｄ）に示すように、経過時間表示６２０に、現在までの経過時間を表示させるようにしても良い。
また、連結線５００５の近傍に、連動動作の内容とディレイタイムとを示す連動動作５００４を表示させるようにしても良い。
このような表示をすることで、ディレイタイムによって待機中である旨を視覚的に把握することができる。
【００６０】
（Ｓ２０９）
表示制御装置１１１は、連動元機器と連動先機器との間の線または矢印表示が完了したか否かを判断し、完了していない場合、すなわち、ディレイタイムを経過していない場合には、ステップＳ２１１に進む。
【００６１】
（Ｓ２１０）
一方、機器間の線または矢印の連結が完了した場合、すなわち、ディレイタイムが経過した場合、シミュレーション装置１２０は、連動設定情報４００の連動先機器の情報と、連動動作の情報とから、連動先機器の動作状態を模擬した情報を模擬動作情報として生成する。
例えば図３の連動番号３の場合、２Ｆ会議室Ａ〜Ｃの空調機の動作状態が、運転ＯＮ、ドライモード、設定温度２８℃、風量弱である状態を、模擬動作状態として生成する。
【００６２】
表示制御装置１１１は、配置図５００の連動先機器の表示に対応して、生成された模擬動作情報を表示させる。表示装置１４０は、画面を更新表示する（Ｓ２１２）。
例えば図９（ａ）に示すように、連動先機器５００３の近傍に、シミュレーション装置が模擬した動作状態である模擬状態５００６を表示する。
なお、模擬動作情報の表示は、文字情報に限るものではなく、動作状態を識別できるものであれば良い。
例えば、表示制御装置１１１は、連動先機器の模擬動作の内容に応じて、配置図５００内の当該設備機器の表示を変化させるようにしても良い。
【００６３】
このような動作により、図９（ａ）に示すように、連動元機器５００１と連動先機器５００３とが連結線５００５で連結表示される。
また、連動元機器５００１および連動先機器５００３は、模擬された動作状態に応じた表示がされる。
また、連動元機器５００１の近傍に、連動条件５００２が表示され、連動先機器５００３の近傍に模擬状態５００６が表示される。
さらに、連結線５００５の近傍に連動動作５００４が表示される。
【００６４】
なお、表示制御装置１１１は、配置図５００内の設備機器の表示に対応して、連動条件、連動元機器、連動先機器、および連動動作のうち少なくとも一つを表示させるようにしても良い。
【００６５】
このような表示をすることで、連動動作により動作される設備機器の動作状態、連動条件を視覚的に把握することができる。これにより、使用者は、連動内容を直感的に認識することが可能となる。
【００６６】
（Ｓ２１１）
シミュレーション装置１０２は、連動設定情報４００の連動先機器の全てについて模擬動作が終了したか否かを判断する。
終了していない場合には、ステップＳ２０７に戻り、上記のステップを繰り返す。
一方、全ての模擬動作が終了した場合、連動シミュレーション動作を終了する。
【００６７】
なお、連動元機器と連動先機器との個数が異なる場合には、機器間を連結する線または矢印を分岐して表示しても良い。
また、連動条件が、複数の設備機器について動作の論理積（ＡＮＤ論理）である場合や、複数の設備機器についての動作の論理和（ＯＲ論理）である場合には、連動条件の対象となる設備機器を区別する表示をするようにしても良い。
例えば図９（ｂ）に示すように、論理積の対象となる機器に、実線の枠からなる論理積表示５０１０を表示する。また、論理和の対象となる機器に、点線の枠からなる論理和表示５０１１を表示するようにしても良い。
【００６８】
以上の動作により、図１０に示すように、表示装置１４０に表示される配置図５００には、連動シミュレーションを実行した設備機器に対応して、連動条件５００２、模擬状態５００６、連結線５００５などの模擬動作情報が表示される。
【００６９】
なお、ステップ２０１で、複数の連動番号が選択された場合には、連動番号に対応する連動設定情報４００毎に、上記ステップＳ２０６〜Ｓ２１２を実施する。
【００７０】
なお、複数の連動設定情報４００の連動シミュレーションを実行する場合、複数の連動シミュレーションを並列に動作させても良い。
これにより、複数の連動設定情報４００による連動制御を同時に模擬することが可能となる。
この場合、連動番号に応じて、連結線５００５の色や線種を変えるなどして、模擬した連動設定情報４００を区別するようにしても良い。
【００７１】
以上のように本実施の形態においては、連動設定情報４００に基づき、設備機器の連動動作を模擬した模擬動作情報を生成し、表示装置１４０に配置図５００を表示させると共に、配置図５００内の設備機器の表示に対応して、模擬動作情報を表示させる。
このため、設備機器を実際に動作させることなく、連動設定情報４００に基づく連動動作をシミュレーションすることができる。
また、配置図５００内の設備機器の表示に対応して連動シミュレーションの動作内容を把握することができ、連動制御の設定内容を容易に確認することができる。
【００７２】
また、配置図５００内の設備機器の表示に対応して、連動条件、連動元機器、連動先機器、および連動動作のうち少なくとも一つを表示させる。
このため、配置図５００内の設備機器の表示に対応して、当該設備機器の連動設定情報４００の内容を把握することができ、連動制御の設定内容を容易に確認することができる。
【００７３】
また、設備機器の模擬動作の内容に応じて、配置図５００内の設備機器の表示を変化させる。
このため、連動制御の設定内容が視覚的に把握でき、連動制御の設定内容を容易に確認することができる。
【００７４】
また、配置図５００内の設備機器のうち、連動動作が模擬された設備機器間を線または矢印で連結して表示させる。
このため、連動制御の設定内容が視覚的に把握でき、連動制御の設定内容を容易に確認することができる。
【００７５】
また、遅延時間のタイムスケールを変化させて模擬動作情報を生成し、模擬動作情報に基づく設備機器の模擬動作の内容に応じて、配置図５００内の設備機器の表示を変化させる。
このため、ディレイタイムが短い場合にはタイムスケールを長くすることで、各機器の連動動作の確認を容易に行うことが可能となる。また、ディレイタイムが長い場合にはタイムスケールを短くすることで、シミュレーション動作を短時間で行うことが可能となる。よって、連動制御の設定内容を容易に確認することができる。
【００７６】
また、配置図５００内の設備機器のうち、連動元機器と連動先機器とを線または矢印で連結して表示させ、遅延時間に応じて線または矢印の表示を変化させる。
このため、ディレイタイムがある連動の確認時、タイムスケールを設定して時間通りに連動ができていることを確認できる。よって、連動制御の設定内容を容易に確認することができる。
【００７７】
実施の形態２．
上記実施の形態１では、選択された連動設定情報毎に連動シミュレーションを実行した。
本実施の形態２では、上記実施の形態１の動作に加え、連動制御の結果により、他の連動設定情報の連動条件を満たし、連動制御を開始する動作（連鎖）の連動シミュレーションについて説明する。
なお、本実施の形態における構成は上記実施の形態１と同様であり、同一部分には同一の符号を付する。
【００７８】
図１１は実施の形態２に係る連動シミュレーションの動作を示すフローチャートである。
図１２は実施の形態２に係る連動シミュレーションでの表示内容を示す図である。
以下、図１１の各ステップに基づき、図１２を参照しつつ説明する。
なお、上記実施の形態１（図７）と同一の動作には同一の符号を付し、説明を省略する。
【００７９】
（Ｓ２０５）
上記実施の形態１のステップＳ２０１〜Ｓ２０４と同様の動作により、１または複数の連動番号が選択された後、ステップＳ２０５で、開始ボタン６３０等の操作され、連動シミュレーションを開始する。
【００８０】
（Ｓ２０６〜Ｓ２１０）
上記実施の形態１と同様の動作により、選択された連動番号の連動シミュレーションを実行し、連動元機器と連動先機器の状態変化処理を行う。
【００８１】
（Ｓ２１１）
上記実施の形態１と同様の動作により、選択された連動番号の連動設定情報４００における連動先機器の全てについて、模擬動作が終了したか否かを判断する。終了していない場合には、上記のステップを繰り返す。
【００８２】
（Ｓ３０１）
一方、全ての模擬動作が終了した場合、シミュレーション装置１２０は、連動動作を模擬した後の各設備機器の動作状態が、いずれかの連動設定情報４００の連動元機器と連動条件とに合致しているか否かを検索する。
合致する連動設定情報４００がない場合、連動シミュレーション動作を終了する。
【００８３】
（Ｓ３０２）
一方、合致する連動設定情報４００が１つ以上ある場合、当該連動設定情報４００（以下「連鎖する連動設定情報４００」ともいう）の連動シミュレーションを実行する。
まず、表示制御装置１１１は、現在表示中の配置図５００に表示された設備機器の中から、連鎖する連動設定情報４００の連動元機器および連動先機器を検索する。
【００８４】
（Ｓ３０３）
表示制御装置１１１は、検索した連動元機器および連動先機器の表示と、それ以外の設備機器の表示とを区別するように、配置図５００の情報を更新する。表示装置１４０は、画面を更新表示する。区別の方法は上記実施の形態１と同様である。
【００８５】
（Ｓ２０６〜Ｓ２１０）
連鎖する連動設定情報４００の連動シミュレーションを、上記実施の形態１のステップＳ２０６〜Ｓ２１０と同様の動作により実行し、連動元機器と連動先機器の状態変化処理を行う。
なお、このとき、前回実行した模擬動作と連結線５００５の色や線種を変えるなどして、連鎖する連動設定情報４００による模擬動作を区別するようにしても良い。
【００８６】
（Ｓ２１１）
上記実施の形態１と同様の動作により、連鎖する連動設定情報４００の連動先機器の全てについて模擬動作が終了したか否かを判断する。
終了していない場合には、上記のステップＳ２０６〜２１０を繰り返す。
全ての模擬動作が終了した場合、上記ステップＳ３０１以降の動作を繰り返し、連鎖する連動設定情報４００する連動設定情報４００がない場合、連動シミュレーション動作を終了する。
【００８７】
これにより、連鎖する連動設定情報４００の連動動作を模擬し、その動作状態を表示することが可能となる。
例えば、図１２に示すように、選択された連動設定情報４００に基づき、連動元機器５００１ａのＯＮ状態に連動して連動先機器５００３ａがＯＮ状態となる。これにより、連鎖する連動設定情報４００の連動元機器５００１ｂの連動条件を満たし、連動先機器５００３ｂが連動制御によりＯＮ状態となる。
【００８８】
なお、複数の連動設定情報４００の連動シミュレーションを並列に実行する場合には、連動先機器の状態が変化する度に、上記Ｓ３０１により連鎖する連動設定情報４００の有無を判断する。
【００８９】
以上のように本実施の形態においては、複数の連動設定情報のうち、任意の連動設定情報に基づき模擬動作情報を生成し、生成した模擬動作情報に基づく設備機器の動作状態と、他の連動設定情報とに基づき、設備機器の連動動作を模擬した模擬動作情報を生成し、配置図５００内の設備機器の表示に対応して、模擬動作情報をそれぞれ表示させる。
このため、任意の連動設定情報４００の連動シミュレーションを実行した場合に、他の連動設定情報４００の連動条件が満たされる場合など、複数の連動設定情報４００の内容が互いに関連する連動制御を模擬することが可能となる。よって、連動制御の設定内容を容易に確認することができる。
【００９０】
また、複数の連動設定情報のうち、任意の連動設定情報に基づき設備機器の連動動作を模擬し、模擬した後の設備機器の動作状態において、他の連動設定情報の連動条件を満たす場合、当該連動設定情報に基づく設備機器の連動動作の模擬を繰り返す。
このため、連鎖する連動設定情報４００の連動シミュレーションを実行することができる。よって、連動制御の設定内容を容易に確認することができる。
【００９１】
実施の形態３．
上記実施の形態１では、選択した連動設定情報４００の連動条件を満たす動作状態を模擬して連動シミュレーションを行った。
本実施の形態３では、入力装置１３０から入力された操作に基づき、設備機器の動作を模擬し、模擬した設備機器の動作状態と連動設定情報とに基づき、連動シミュレーションを実行する。
なお、本実施の形態における構成は上記実施の形態１と同様であり、同一部分には同一の符号を付する。
【００９２】
図１３は実施の形態３に係る連動シミュレーションの動作を示すフローチャートである。
図１４は実施の形態３に係る連動シミュレーションでの表示内容を示す図である。
以下、図１３の各ステップに基づき、図１４を参照しつつ説明する。
なお、上記実施の形態１（図７）と同一の動作には同一の符号を付し、説明を省略する。
【００９３】
（Ｓ４０１）
使用者は、入力装置１３０により、配置図５００に表示された設備機器の中から、動作状態を変更させる設備機器を選択する。
【００９４】
（Ｓ４０２）
使用者は、入力装置１３０により、選択した設備機器に対する動作を模擬させる操作を入力する。
例えば、図１４（ａ）において、設備機器６００３および６００４の現在の動作状態がＯＮ状態である場合、ＯＦＦ状態に切り替える操作を行う。
なお、ＯＮ／ＯＦＦ切り替えに限らず、運転モードなど任意の動作状態を操作することができる。
【００９５】
（Ｓ４０３）
使用者は、ステップＳ４０２により入力した操作を模擬させる経過時間の情報を、入力装置１３０により入力する。
例えば、図１４（ｃ）に示すように、設備機器６００３の動作状態を、１０分後にＯＮ状態にし、６時間後にＯＦＦ状態にするなど、動作状態を変更させる時間を設定する。
なお、本ステップを省略して、変化時刻を設定しなくても良い。
【００９６】
（Ｓ４０４）
次に、表示制御装置１１１は、例えば、確認したい設備機器の状態をすべて変更したか否かを確認するメッセージを表示させる。
使用者から、操作が完了していない旨の操作がされた場合、上記ステップＳ４０１に戻る。
一方、使用者から、操作が完了した旨の操作がされた場合、ステップＳ４０５に進む。
なお、本ステップＳ４０４は、省略しても良い。
【００９７】
（Ｓ４０５）
シミュレーション装置１２０は、入力装置１０３から入力された操作に基づき、設備機器の動作を模擬し、模擬した後の各設備機器の動作状態が、いずれかの連動設定情報４００の連動元機器と連動条件とに合致しているか否かを検索する。
合致する連動設定情報４００がある場合、ステップＳ４０６に進む。
一方、合致する連動設定情報４００がない場合、連動シミュレーション動作を終了する。
【００９８】
（Ｓ４０６、Ｓ４０７）
シミュレーション装置１２０は、時間経過の計時を開始し、入力装置１３０から入力された操作、および経過時間の情報に基づき、設備機器の動作を経過時間に応じて模擬する。
なお、表示制御装置１１１は、操作による模擬動作の内容に応じて、配置図５００内の当該設備機器の表示を変化させる。
例えば、図１４（ｃ）に示すように、経過時間表示６２０に現在の経過時間を表示するようにしても良い。
なお、ステップＳ４０３での変化時刻の設定がない場合には、本ステップを省略する。
【００９９】
以降の動作と平行して、シミュレーション装置１２０は、経過時間が、設定された変化時刻となった場合、ステップＳ４０７を実行し、入力された操作に対応する動作状態を模擬する。また、表示制御装置１１１は、模擬動作に応じて、配置図５００内の当該設備機器の表示を変化させる。
【０１００】
（Ｓ４０８）
シミュレーション装置１２０は、模擬した後の各設備機器の動作状態が、いずれかの連動設定情報４００の連動元機器と連動条件とに合致しているか否かを検索する。
合致する連動設定情報４００がない場合、ステップＳ４０６に戻り、上記動作を繰り返す。
【０１０１】
（Ｓ４０９）
一方、合致する連動設定情報４００が１つ以上ある場合、当該連動設定情報４００（以下「仮想動作による連動設定情報４００」ともいう）の連動シミュレーションを実行する。
まず、表示制御装置１１１は、現在表示中の配置図５００に表示された設備機器の中から、仮想動作による連動設定情報４００の連動元機器および連動先機器を検索する。
【０１０２】
（Ｓ４１０）
表示制御装置１１１は、検索した連動元機器および連動先機器の表示と、それ以外の設備機器の表示とを区別するように、配置図５００の情報を更新する。表示装置１４０は、画面を更新表示する。区別の方法は上記実施の形態１と同様である。
【０１０３】
（Ｓ２０８〜Ｓ２１０）
仮想動作による連動設定情報４００の連動シミュレーションを、上記実施の形態１のステップＳ２０８〜Ｓ２１０と同様の動作により実行し、連動元機器と連動先機器の状態変化処理を行う。
【０１０４】
（Ｓ４１１）
シミュレーション装置１２０は、仮想動作による連動設定情報４００の連動先機器の全てについて模擬動作が終了したか否かを判断する。
終了していない場合には、ステップＳ４０６に戻り、上記動作を繰り返す。
【０１０５】
一方、全ての模擬動作が終了した場合、シミュレーション装置１２０は、連動動作を模擬した後の各設備機器の動作状態が、いずれかの連動設定情報４００の連動元機器と連動条件とに合致しているか否かを検索する。
合致する連動設定情報４００がない場合、連動シミュレーション動作を終了する。
【０１０６】
一方、合致する連動設定情報４００が１つ以上ある場合、ステップＳ４０９に戻り、当該連動設定情報４００（連鎖する連動設定情報４００）の連動シミュレーションを実行する。
【０１０７】
これにより、入力装置１３０から入力された操作および経過時間の情報により、設備機器の動作を模擬し、模擬した設備機器の動作状態が変化する度に、仮想動作による連動設定情報４００の連動シミュレーションを実行することができる。
例えば、図１４（ｂ）に示すように、連動元機器としての設備機器６００３および６００４の動作状態をＯＦＦ状態に仮想動作させるこれにより、仮想操作による連動設定情報４００の連動元機器の動作条件を満たし、連動先機器６００１および６００２が連動制御により、ＯＦＦ状態となる。
【０１０８】
以上のように本実施の形態においては、入力装置１３０から入力された操作に基づき、設備機器の動作を模擬し、模擬した設備機器の動作状態と、連動設定情報とに基づき、設備機器の連動動作を模擬した模擬動作情報を生成し、配置図５００内の設備機器の表示に対応して、模擬動作情報を表示する。
このため、設備機器の動作状態を、操作に応じて模擬することができ、模擬した動作状態により連動シミュレーションを実行することが可能となる。よって、設備機器の状態を任意の状態に変更し、変更内容に従って連動シミュレーションができる。したがって、連動制御の設定内容を容易に確認することができる。
【０１０９】
また、入力装置１３０から入力された操作および経過時間の情報に基づき、設備機器の動作を経過時間に応じて模擬し、模擬した設備機器の動作状態が変化する度に、当該設備機器の動作状態と、連動設定情報とに基づき、設備機器の連動動作を模擬した模擬動作情報を生成し、配置図５００内の設備機器の表示に対応して、模擬動作情報をそれぞれ表示する。
このため、連動機器の状態変更に時間指定をすることが可能となる。よって、例えば、予想される行動や、過去の操作履歴から設定を行い、時系列に連動シミュレーションすることが可能となる。したがって、連動制御の設定内容を容易に確認することができる。
【０１１０】
実施の形態４．
本実施の形態４では、任意の設備機器が連動制御に関係する旨の情報および当該連動設定情報を表示装置１４０に表示させる動作（以下「連動確認」ともいう）について説明する。
【０１１１】
本実施の形態における記憶装置１５０には、連動確認の動作に用いられる情報を格納する記憶領域（以下「選択機器の連動一覧」ともいう）が設けられている。
この「選択機器の連動一覧」には、確認対象の設備機器が連動元機器である連動設定情報４００の識別情報が格納される「連動元機器として関係」記憶領域と、確認対象の設備機器が連動先機器である連動設定情報４００の識別情報が格納される「連動先機器として関係」記憶領域とを有している。
なお、本実施の形態では記憶装置１５０に「選択機器の連動一覧」を設ける場合を説明するが、これに限らず、例えば動作中に制御装置１１０内のメモリ等に生成しても良い。
【０１１２】
なお、その他の構成は上記実施の形態１と同様であり、同一部分には同一の符号を付する。
【０１１３】
図１５は実施の形態４に係る連動確認の動作を示すフローチャートである。
図１６は実施の形態４に係る連動確認での表示内容を示す図である。
以下、図１５の各ステップに基づき、図１６を参照しつつ説明する。
【０１１４】
（Ｓ５０１）
使用者は、入力装置１３０により、配置図５００に表示された設備機器の中から、連動確認を行う設備機器を選択する。
【０１１５】
（Ｓ５０２）
表示制御装置１１１は、記憶装置１５０に記憶された連動設定情報４００の中から、選択された設備機器と連動元機器とが合致する連動設定情報４００を検索する。
合致する連動設定情報４００がない場合にはステップＳ５０４に進む。
【０１１６】
（Ｓ５０３）
一方、合致する連動設定情報４００がある場合、表示制御装置１１１は、「選択機器の連動一覧」の「連動元機器として関係」の記憶領域に、合致した連動設定情報４００を識別する情報、例えば連動番号または連動名称を追加する。
【０１１７】
（Ｓ５０４）
次に、表示制御装置１１１は、記憶装置１５０に記憶された連動設定情報４００の中から、選択された設備機器と連動先機器とが合致する連動設定情報４００を検索する。
合致する連動設定情報４００がない場合にはステップＳ５０６に進む。
【０１１８】
（Ｓ５０５）
一方、合致する連動設定情報４００がある場合、表示制御装置１１１は、「選択機器の連動一覧」の「連動先機器として関係」の記憶領域に、合致した連動設定情報４００を識別する情報、例えば連動番号または連動名称を追加する。
【０１１９】
（Ｓ５０６）
表示制御装置１１１は、選択された設備機器の情報と、「選択機器の連動一覧」に記憶された情報とを、表示装置１４０に表示させる。
これにより、選択された確認対象の設備機器が連動制御に関係する旨の情報として、連動元機器である連動設定情報４００の識別情報と、連動先機器である連動設定情報４００の識別情報とが表示される。
【０１２０】
図１６に示す例では、確認対象の設備機器として空調機Ａが選択され、連動元機器として関係する連動設定情報４００の連動番号とその名称、連動先機器として関係する連動設定情報４００の連動番号とその名称が一覧として表示されている。
【０１２１】
（Ｓ５０７）
次に、表示制御装置１１１は、「選択機器の連動一覧」に１つ以上連動設定情報４００を識別する情報が記憶されているか否かを判断する。すなわち、選択された設備機器に関連する連動設定情報４００が存在するか否かを判断する。
関連する連動設定情報４００が存在する場合、ステップＳ５０８に進む。
一方、関連する連動設定情報４００が存在しない場合、連動確認の動作を終了する。
【０１２２】
（Ｓ５０８）
使用者は、表示装置１４０に表示された「選択機器の連動一覧」から、連動制御の内容を確認する連動設定情報４００の識別情報（例えば連動番号または名称）を選択する。
【０１２３】
（Ｓ５０９）
表示制御装置１１１は、選択された連動設定情報４００の連動元機器および連動先機器の表示と、それ以外の設備機器の表示とを区別するように、配置図５００の情報を更新する。表示装置１４０は、画面を更新表示する。
例えば、図１６に示すように、連動元機器および連動先機器以外の設備機器の表示を点線で表示する。なお、これに限らず、例えば色を薄くする、表示を削除するなどを行うようにしても良い。
このような表示をすることで、選択した連動制御に関係する設備機器とその場所を視覚的に把握することができる。
【０１２４】
（Ｓ５１０）
次に、表示制御装置１１１は、配置図５００内の連動元機器と連動先機器との間を、線または矢印で連結する表示させる。
これにより、確認対象の設備機器と、連動元機器または連動先機器との連動制御の関係を、視覚的に把握することができる。
なお、このとき、上記実施の形態１のステップＳ２０６〜Ｓ２１１と同様の動作により、選択された連動設定情報４００の連動シミュレーションを実行するようにしても良い。
【０１２５】
（Ｓ５１１）
次に、表示制御装置１１１は、例えば、連動確認の選択が終了したか否かを使用者に確認するメッセージを表示させる。
使用者から、選択が完了していない旨の操作がされた場合、上記ステップＳ５０９に戻る。
一方、使用者から、選択が完了した旨の操作がされた場合、連動確認の動作を終了する。
【０１２６】
以上のように本実施の形態においては、複数の設備機器のうち、任意の設備機器が、連動元機器および連動先機器の少なくとも一方であるとき、当該設備機器が連動制御に関係する旨の情報および当該連動設定情報を、表示装置１４０に表示させる。
このため、任意の設備機器の連動制御に関係する設備機器と、その場所を視覚的に把握することができる。これにより、確認対象の設備機器と、連動元機器または連動先機器との連動制御の関係を、視覚的に把握することができる。したがって、連動制御の設定内容を容易に確認することができる。
【０１２７】
実施の形態５．
本実施の形態では、連動設定情報４００の誤設定を推測する動作について説明する。
【０１２８】
本実施の形態における記憶装置１５０には、予め、連動設定情報４００の誤設定を推測するための条件（以下「誤設定推測条件」という）が、データベースとして１または複数記憶される。
なお、その他の構成は上記実施の形態１と同様であり、同一部分には同一の符号を付する。
【０１２９】
本実施の形態における誤設定を推測する動作は、上記実施の形態１〜４における連動シミュレーションを実行する前に実施するのが望ましい。例えば連動の連鎖が無限に繰り返す（無限ループ）などが発生するのを防止するためである。
【０１３０】
［誤設定推測動作の概要］
図１７は実施の形態５に係る誤設定推測動作の概要を示すフローチャートである。
以下、図１７の各ステップに基づき説明する。
【０１３１】
まず、表示制御装置１１１は、上記実施の形態１（図５）と同様の動作により、初期表示画面を表示させる。
なお、図６に示した初期画面の内容に加え、誤設定の推測動作を開始させるための操作ボタン表示（連動誤設定推測ボタン）を表示させるようにしても良い。
【０１３２】
（Ｓ６０１）
まず、使用者は、初期表示画面に表示された連動リスト６１０から、１または複数の連動番号を選択する。
【０１３３】
（Ｓ６０２）
使用者は、開始ボタン６３０の操作により、誤設定の推測動作の後、連動シミュレーションを実行させる操作を行う（Ｓ６０２）。
または、使用者は、連動誤設定推測ボタンの操作により、誤設定の推測動作を実行させる操作を行う（Ｓ６０５）。
【０１３４】
（Ｓ６０３）
開始ボタン６３０が操作された場合、シミュレーション装置１０２は、記憶装置１５０に記憶された誤設定推測条件のデータベースを参照し、選択された連動番号の連動設定情報４００の誤設定の有無を判定する。判定動作の詳細は後述する。
なお、ステップＳ６０１で複数の連動番号が選択された場合には、連動番号毎にそれぞれ誤設定の有無を判定する。
誤設定が検出されない場合、ステップＳ６０４に進む。
一方、誤設定が検出された場合、ステップＳ６０８に進む。
【０１３５】
（Ｓ６０４）
シミュレーション装置１０２および表示制御装置１１１は、上記実施の形態１〜４のいずれかと同様の動作により、選択された連動番号の連動シミュレーションを実行し、動作を終了する。
【０１３６】
（Ｓ６０６）
ステップＳ６０５で連動誤設定推測ボタンの操作された場合、シミュレーション装置１０２は、記憶装置１５０に記憶された誤設定推測条件のデータベースを参照し、選択された連動番号の連動設定情報４００の誤設定の有無を判定する。判定動作の詳細は後述する。
なお、ステップＳ６０１で複数の連動番号が選択された場合には、連動番号毎にそれぞれ誤設定の有無を判定する。
誤設定が検出されない場合、ステップＳ６０７に進む。
一方、誤設定が検出された場合、ステップＳ６０８に進む。
【０１３７】
（Ｓ６０７）
表示制御装置１１１は、誤設定が検出されない旨のメッセージ情報を生成し、表示装置１４０に当該メッセージを表示させ、動作を終了する。
なお、初期画面に連動誤設定推測ボタンを表示しない場合には、上記ステップＳ６０５〜Ｓ６０７は省略する。
【０１３８】
（Ｓ６０８）
ステップＳ６０３またはＳ６０６で、誤設定が有りと判定された場合、表示制御装置１１１は、誤設定が有りと判定された連動設定情報４００を識別する情報、例えば連動番号または連動名称の情報の一覧を生成し、表示装置１４０に表示させる。
【０１３９】
（Ｓ６０９）
表示制御装置１１１は、誤設定が検出された旨の警告メッセージ情報を生成し、表示装置１４０に当該警告メッセージを表示させる。
【０１４０】
（Ｓ６１０）
表示制御装置１１１は、誤設定が有りと判定された連動設定情報４００の連動元機器および連動先機器の表示と、それ以外の設備機器の表示とを区別するように、配置図５００の情報を更新する。表示装置１４０は、画面を更新表示する。
この表示は、例えば、対象の連動元機器および連動先機器を赤色で点滅させるなど、強調表示をする。
【０１４１】
次に、上記ステップＳ６０３またはＳ６０６における、誤設定の有無を判定する動作の例について説明する。
【０１４２】
［無限ループ判定］
連動により無限に連動制御を繰り返す誤設定（無限ループ）の判定について説明する。
図１８は実施の形態５に係る無限ループ判定動作を示すフローチャートである。
以下、図１８の各ステップに基づき説明する。
【０１４３】
（Ｓ７０１）
シミュレーション装置１２０は、誤設定の有無を判定する対象となる連動設定情報４００を識別する情報（例えば連動番号）を、検査用のデータキュー（以下「検査キュー」という）に格納する。
【０１４４】
（Ｓ７０２）
シミュレーション装置１２０は、上記実施の形態２（図１１）と同様の動作により、判定対象の連動設定情報４００に基づき、連動シミュレーションを実行する。
そして、連動動作の結果により、連鎖する連動設定情報４００の有無を判断する。
連鎖する連動設定情報４００がない場合、誤設定はないと判断し、誤設定判定動作を終了する。
【０１４５】
（Ｓ７０３）
一方、連鎖する連動設定情報４００がある場合、連鎖する連動設定情報４００を識別する情報が、検査キューにすでに挿入されているか否かを判断する。
連鎖する連動設定情報４００を識別する情報が、検査キューに挿入されていない場合、ステップＳ７０４に進む。
【０１４６】
（Ｓ７０４）
シミュレーション装置１２０は、当該連鎖する連動設定情報４００を識別する情報を、検査キューに挿入し、ステップＳ７０２に戻る。
シミュレーション装置１２０は、連鎖する連動設定情報４００に基づき、連動シミュレーションを実行し、上記ステップを繰り返す。
【０１４７】
（Ｓ７０５）
一方、ステップＳ７０３で、連鎖する連動設定情報４００を識別する情報が、検査キューに挿入されている場合、シミュレーション装置１２０は、無限ループが発生していると判定する、すなわち、連鎖による連動設定情報４００が重複するとき、誤設定ありと判定する。
このとき、表示制御装置１１１は、無限ループが発生している旨の警告メッセージを表示させる（Ｓ６０９）。
【０１４８】
このような動作により、連動により無限に連動制御を繰り返す誤設定を検出することが可能となる。
なお、ここでは、連鎖する連動制御の重複を検査するため検査キューを採用したが、データ構造はこれに限らず、連鎖する連動設定情報４００をそれぞれ記憶できるものであれば良い。
【０１４９】
［操作が一貫しない連動の判定］
複数の連動設定の内容に矛盾が生じる場合（操作が一貫しない連動）の判定について説明する。
図１９は実施の形態５に係る操作が一貫しない連動判定動作を示すフローチャートである。
図２０は操作が一貫しない連動動作を説明する図である。
以下、図１９の各ステップに基づき、図２０を参照しながら説明する。
【０１５０】
（Ｓ８０１）
シミュレーション装置１２０は、記憶装置１５０に記憶された複数の連動設定情報４００のうち、誤設定の有無を判定する対象となる連動設定情報４００（以下「連動Ａ」という）以外の連動設定情報４００を読み出す。
【０１５１】
（Ｓ８０２）
シミュレーション装置１２０は、読み出した連動設定情報４００のうち、未検査の連動制御の有無を判定する。
未検査の連動設定情報４００がある場合は、ステップＳ８０３に進む。
一方、未検査の連動設定情報４００がない場合は、ステップＳ８０８に進み、誤設定はないと判断し、誤設定判定動作を終了する。
【０１５２】
（Ｓ８０３）
シミュレーション装置１２０は、連動Ａの連動元機器と、未検査の連動設定情報４００のうち、任意の連動設定情報４００（以下「検査中の連動」という）の連動元機器とが一致するか否かを判断する。
連動元機器が一致しない場合は、ステップＳ８０２に戻る。
連動元機器が一致する場合は、ステップＳ８０４に進む。
【０１５３】
（Ｓ８０４）
シミュレーション装置１２０は、連動Ａの連動先機器と、検査中の連動の連動先機器とが一致するか否かを判断する。
連動先機器が一致しない場合は、ステップＳ８０２に戻る。
連動先機器が一致する場合は、ステップＳ８０５に進む。
【０１５４】
（Ｓ８０５）
シミュレーション装置１２０は、連動Ａの連動先条件と、検査中の連動の連動条件とが一致するか否かを判断する。
連動条件が一致しない場合は、ステップＳ８０２に戻る。
連動条件が一致する場合は、ステップＳ８０６に進む。
【０１５５】
（Ｓ８０６）
シミュレーション装置１２０は、連動Ａの連動動作と、検査中の連動の連動動作との動作カテゴリが一致するか否かを判断する。
この動作カテゴリとは、１つの動作カテゴリからは１つの動作状態が定まるものをいう。例えば、発停（運転・停止）、運転モード（冷房、暖房など）、設定温度、操作禁止などがある。
動作カテゴリが一致しない場合は、ステップＳ８０２に戻る。
【０１５６】
（Ｓ８０７）
一方、動作カテゴリが一致する場合、シミュレーション装置１２０は、操作が一貫しない連動が設定されていると判定する、すなわち、連動元機器、連動先機器、連動条件、および連動動作のカテゴリが一致する連動設定情報４００が複数ある場合、誤設定ありと判定する。
このとき、表示制御装置１１１は、誤設定である旨の警告メッセージを表示させる（Ｓ６０９）。
【０１５７】
このような動作により、複数の連動設定の内容に矛盾が生じる可能性がある場合、誤設定として検出することが可能となる。
例えば図２０に示すように、連動元機器８００１と連動先機器８００２とが同一で、さらに連動条件も同一である連動が２つ設定されている場合に、一方の連動動作により連動先機器８００２がＯＮ状態となり、他方の連動動作により連動先機器８００２がＯＦＦ状態となるときは、誤設定の警告がされる。
【０１５８】
［ディレイタイムの上限判定］
連動制御の実行時間が所定の上限値を超える場合の誤設定の判定について説明する。
連動制御が連鎖する場合には、使用者が予想するよりも大きなディレイタイムになる場合がある。
例えば、連鎖する連動制御によって、１時間後に設備機器ＡをＯＮ、その１時間後に設備機器ＢをＯＮ、その２４時間後に設備機器ＢをＯＦＦ、その１時間後に設備機器ＡをＯＦＦにする、などの長時間の連動制御が行われる場合、使用者が意図していない設定である可能性が高い。
このようなことから、ディレイタイムの合計値が、予め設定された所定の時間（Ｘ時間）を超えた場合には、誤設定であると判定する。
以下、具体的に説明する。
【０１５９】
シミュレーション装置１２０は、連動設定情報４００のディレイタイムを加算して連動動作の時間を求める。
また、連鎖する連動設定情報４００がある場合には、当該連動設定情報４００のディレイタイムを、上記連動動作の時間にさらに加算する。
シミュレーション装置１２０は、この動作を連鎖する連動設定情報４００がなくなるまで繰り返す。
表示制御装置１１１は、連動動作の時間の合計値が、所定の時間（Ｘ時間）を超える場合、誤設定である旨の表示を、表示装置１４０に表示させる。
【０１６０】
なお、所定の時間（Ｘ時間）は、使用者からの操作により入力するようにしても良いし、予め記憶装置１５０に記憶させるようにしても良い。
【０１６１】
［連鎖する連動回数の上限判定］
連動制御が連鎖する回数が所定の上限値を超える場合の誤設定の判定について説明する。
連動制御が連鎖する回数が多い場合には、使用者が意図していない設定である可能性が高い。
例えば、連鎖する連動制御群Ａと、連鎖する連動制御群Ｂとの間に、誤設定によって意図しない連鎖が発生し、連動制御群ＡとＢが一連の連鎖する連動制御群となる場合がある。
このようなことから、連鎖する連動制御の回数が、予め設定された所定の回数（Ｎ回）を超えた場合には、誤設定であると判定する。
以下、具体的に説明する。
【０１６２】
シミュレーション装置１２０は、連鎖する連動設定情報４００がある場合には、連鎖回数をカウントするカウンタを加算する。
シミュレーション装置１２０は、この動作を連鎖する連動設定情報４００がなくなるまで繰り返す。
表示制御装置１１１は、カウンタ値が、所定の回数（Ｎ回）を超える場合、誤設定である旨の表示を、表示装置１４０に表示させる。
【０１６３】
なお、所定の回数（Ｎ回）は、使用者からの操作により入力するようにしても良いし、予め記憶装置１５０に記憶させるようにしても良い。
【０１６４】
以上、上記ステップＳ６０３またはＳ６０６における、誤設定の有無を判定する動作の例について説明した。
なお、誤設定の有無を判定は、これに限られるものではなく、任意の誤設定推測条件を記憶装置１５０に記憶させることができる。
【０１６５】
また、使用者からの入力操作により、誤設定推測条件を入力可能にしても良い。
例えば、連動条件が「温度計が５度以下」である場合、連動動作が「空調機の運転モードを冷房にする」とき、誤設定と判定する、との誤設定推測条件を入力する。
また例えば、連動条件が「温度計が３０度以上」である場合、連動動作が「空調機の運転モードを暖房にする」とき、誤設定と判定する、との誤設定推測条件を入力する。
【０１６６】
以上のように本実施の形態においては、複数の連動設定情報のうち、任意の連動設定情報に基づき設備機器の連動動作を模擬し、模擬した後の設備機器の動作状態において、他の連動設定情報の連動条件を満たす場合、当該連動設定情報に基づく設備機器の連動動作の模擬を、繰り返し、連動動作の模擬が実施された連動設定情報が重複するとき、誤設定である旨の表示を、表示装置１４０に表示させる。
このため、連動により無限に連動制御を繰り返す誤設定を検出することができる。
【０１６７】
また、複数の連動設定情報のうち、連動元機器、連動先機器、および連動条件が一致し、連動動作のカテゴリが一致する連動設定情報が複数ある場合、誤設定である旨の表示を、表示装置１４０に表示させる。
このため、複数の連動設定の内容に矛盾が生じる場合の誤設定を検出することができる。
【０１６８】
また、複数の連動設定情報のうち、任意の連動設定情報に基づき設備機器の連動動作を模擬し、模擬した後の設備機器の動作状態において、他の連動設定情報の連動条件を満たす場合、当該連動設定情報に基づく設備機器の連動動作の模擬を、繰り返し、動動作の時間が、所定の時間を超える場合、または、連動動作の繰り返し回数が、所定の回数を超える場合、誤設定である旨の表示を、表示装置１４０に表示させる。
このため、連動設定の内容に誤設定がある可能性が高い場合に、誤設定を検出することができる。
【０１６９】
なお、上記実施の形態１〜５の動作に加え、選択した連動番号や、連動シミュレーションを実行した連動設定情報４００の内容を、表示装置１４０に表示させるようにしても良い。
例えば、表示制御装置１１１は、所定の定型文の情報に、連動設定情報４００を合成し、表示装置１４０に表示させる。
【０１７０】
具体的には、所定の定型文の情報として「｛ａ｝と｛ｂ｝の｛すべて／いずれか｝が、｛ｃ｝になったとき、｛ｄ｝経過後、｛ｅ｝と｛ｆ｝を｛ｇ｝にする。」などを予め記憶装置１５０に記憶させる。
そして、連動元機器の情報を｛ａ｝｛ｂ｝に合成する。連動条件の情報を｛ｃ｝に合成する。連動条件が論理積のとき｛すべて｝、論理和のとき｛いずれかか｝を選択する。ディレイタイムの情報を｛ｄ｝に合成する。連動先機器の情報を｛ｅ｝｛ｆ｝に合成する。連動動作の情報を｛ｇ｝に合成する。
これにより、例えば「空調機Ａと空調機Ｂのすべてが冷房になったとき、１分後に空調機Ｃと空調機ＤをＯＮにして冷房にする。」という連動制御の内容を説明する情報を、表示装置１４０に表示させることが可能となる。
なお、所定の定型文はこれに限るものではなく、例えば連動の名称を生成するための定型文などでも良い。
【符号の説明】
【０１７１】
１０  空調機、２０  照明機器、３０  カードキー、４０  換気設備、１００  管理装置、１０２  シミュレーション装置、１０３  入力装置、１１０  制御装置、１１１  表示制御装置、１２０  シミュレーション装置、１３０  入力装置、１４０  表示装置、１５０  記憶装置、１６０  通信装置、２００  空調機コントローラ、３００  汎用コントローラ、４００  連動設定情報、５１０  空調機表示、５２０  照明機器表示、５３０  カードキー表示、５４０  換気設備表示、５５０  フロア情報、６１０  連動リスト、６２０  経過時間表示、６３０  開始ボタン、５００１  連動元機器、５００１ａ  連動元機器、５００１ｂ  連動元機器、５００２  連動条件、５００３  連動先機器、５００３ａ  連動先機器、５００３ｂ  連動先機器、５００４  連動動作、５００５  連結線、５００６  模擬状態、５０１０  論理積表示、５０１１  論理和表示、６００１  連動先機器、６００３  設備機器、８００１  連動元機器、８００２  連動先機器。
【図１】
2011099075.tif 000003
【図２】
2011099075.tif 000004
【図３】
2011099075.tif 000005
【図４】
2011099075.tif 000006
【図５】
2011099075.tif 000007
【図６】
2011099075.tif 000008
【図７】
2011099075.tif 000009
【図８】
2011099075.tif 000010
【図９】
2011099075.tif 000011
【図１０】
2011099075.tif 000012
【図１１】
2011099075.tif 000013
【図１２】
2011099075.tif 000014
【図１３】
2011099075.tif 000015
【図１４】
2011099075.tif 000016
【図１５】
2011099075.tif 000017
【図１６】
2011099075.tif 000018
【図１７】
2011099075.tif 000019
【図１８】
2011099075.tif 000020
【図１９】
2011099075.tif 000021
【図２０】
2011099075.tif 000022
【国際調査報告】
2011099075.tif 000023
2011099075.tif 000024
2011099075.tif 000025
2011099075.tif 000026